【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
撮像素子から出力される画像信号に含まれる色信号を、ホワイトバランスゲインに応じて増幅するホワイトバランス増幅手段と、
前記ホワイトバランス増幅手段により増幅する前の第１の色信号情報を取得する第１の色信号情報取得手段と、
前記ホワイトバランス増幅手段により増幅した後の第２の色信号情報と、前記第１の色信号情報により決定されるパラメータとに基づいてホワイトバランスゲインを算出し、前記ホワイトバランスゲインを前記ホワイトバランス増幅手段に適用するホワイトバランスゲイン制御手段とを備えることを特徴とする画像処理装置。
【請求項２】
前記第１の色信号情報を用いて光源の種類或いは光源の温度を推定し、その光源情報に基づいて、前記パラメータを決定することを特徴とする請求項１に記載の画像処理装置。
【請求項３】
前記第１の色信号情報を用いてホワイトバランスゲインの目標値を設定し、そのホワイトバランスゲインの目標値に基づいて、前記パラメータを決定することを特徴とする請求項１に記載の画像処理装置。
【請求項４】
前記第１の色信号情報を用いて撮影シーンを推定し、その撮影シーンに基づいて、前記パラメータを決定することを特徴とする請求項１に記載の画像処理装置。
【請求項５】
前記パラメータとは、前記第２の色信号情報を取得するための色信号範囲を指定するパラメータ、前記ホワイトバランスゲインの制御パラメータ、ホワイトバランス制御の動作及び停止パラメータのうち少なくともいずれか一つ以上を含むことを特徴とする請求項１〜４のいずれか１項に記載の画像処理装置。
【請求項６】
前記第２の色信号情報を取得するための色信号範囲を指定するパラメータとは、所定の色範囲に含まれる色信号を取得する際の色範囲の閾値であることを特徴とする請求項５に記載の画像処理装置。
【請求項７】
前記ホワイトバランスゲインの制御パラメータとは、ホワイトバランスゲインの可変範囲、ホワイトバランスゲインの変化量、ホワイトバランスゲインの初期値のうち少なくともいずれか一つ以上を含むことを特徴とする請求項５又は６に記載の画像処理装置。
【請求項８】
前記第１の色信号情報を、前記第２の色信号情報から算出する色信号算出手段を備えることを特徴とする請求項１〜７のいずれか１項に記載の画像処理装置。
【請求項９】
撮像素子から出力される画像信号に含まれる色信号を、ホワイトバランスゲインに応じて増幅するホワイトバランス増幅手段と、
被写体照度を検出する被写体照度検出手段と、
前記ホワイトバランス増幅手段により増幅する前の第１の色信号情報を取得する第１の色信号情報取得手段と、
前記被写体照度検出手段により検出された被写体照度と、前記第１の色信号情報とに基づいて光源を推定する光源推定手段と、
前記ホワイトバランス増幅手段により増幅した後の第２の色信号情報と、前記光源推定手段により推定された光源とに基づいてホワイトバランスゲインを算出し、前記ホワイトバランスゲインを前記ホワイトバランス増幅手段に適用するホワイトバランスゲイン制御手段とを備えることを特徴とする画像処理装置。
【請求項１０】
撮像素子から出力される画像信号に含まれる色信号を、ホワイトバランスゲインに応じて増幅するホワイトバランス増幅手段と、
被写体照度を検出する被写体照度検出手段と、
前記ホワイトバランス増幅手段により増幅した後の色信号情報から、前記ホワイトバランス増幅手段により増幅する前の色信号情報を算出する色信号情報算出手段と、
前記被写体照度検出手段により検出された被写体照度と、前記色信号情報算出手段により算出された色信号情報とに基づいて光源を推定する光源推定手段と、
前記ホワイトバランス増幅手段により増幅した後の色信号情報と、前記光源推定手段により推定された光源とに基づいてホワイトバランスゲインを算出し、前記ホワイトバランスゲインを前記ホワイトバランス増幅手段に適用するホワイトバランスゲイン制御手段とを備えることを特徴とする画像処理装置。
【請求項１１】
撮像素子から出力される画像信号に含まれる色信号を、ホワイトバランスゲインに応じて増幅するホワイトバランス増幅手段と、
前記ホワイトバランス増幅手段により増幅する前の第１の色信号情報を取得する第１の色信号情報取得手段と、
前記第１の色信号情報を基づいて光源情報を推定する第１の光源推定手段と、
前記ホワイトバランス増幅手段により増幅した後の第２の色信号情報を取得する第２の色信号情報取得手段と、
前記第２の色信号情報に基づいて光源情報を推定する第２の光源推定手段と、
前記第１の光源推定手段により推定した光源情報と、前記第２の光源推定手段により推定した光源情報との少なくともいずれか一つに基づいてホワイトバランスゲインを算出し、前記ホワイトバランスゲインを前記ホワイトバランス増幅手段に適用するホワイトバランスゲイン制御手段とを備えることを特徴とする画像処理装置。
【請求項１２】
撮像素子から出力される画像信号に含まれる色信号を、ホワイトバランスゲインに応じて増幅するホワイトバランス増幅手段と、
前記ホワイトバランス増幅手段により増幅する前の第１の色信号情報を取得する第１の色信号取得手段と、
前記第１の色信号情報に基づいて第１のホワイトバランスゲインを算出する第１のホワイトバランスゲイン算出手段と、
前記ホワイトバランス増幅手段により増幅した後の第２の色信号情報を取得する第２の色信号取得手段と、
前記第２の色信号情報に基づいて第２のホワイトバランスゲインを算出する第２のホワイトバランスゲイン算出手段と、
前記第１のホワイトバランスゲインと前記第２のホワイトバランスゲインとに基づいて第３のホワイトバランスゲインを決定し、前記ホワイトバランスゲインを前記ホワイトバランス増幅手段に適用するホワイトバランスゲイン制御手段とを備えることを特徴とする画像処理装置。
【請求項１３】
撮像素子から出力される画像信号に含まれる色信号を、ホワイトバランス増幅手段によりホワイトバランスゲインに応じて増幅する画像処理方法であって、
前記ホワイトバランス増幅手段により増幅する前の第１の色信号情報を取得する手順と、
前記ホワイトバランス増幅手段により増幅した後の第２の色信号情報と、前記第１の色信号情報により決定されるパラメータとに基づいてホワイトバランスゲインを算出し、前記ホワイトバランスゲインを前記ホワイトバランス増幅手段に適用する手順とを有することを特徴とする画像処理方法。
【請求項１４】
撮像素子から出力される画像信号に含まれる色信号を、ホワイトバランス増幅手段によりホワイトバランスゲインに応じて増幅する画像処理方法であって、
被写体照度を検出する手順と、
前記ホワイトバランス増幅手段により増幅する前の第１の色信号情報を取得する手順と、
前記検出された被写体照度と、前記第１の色信号情報とに基づいて光源を推定する手順と、
前記ホワイトバランス増幅手段により増幅した後の第２の色信号情報と、前記推定された光源とに基づいてホワイトバランスゲインを算出し、前記ホワイトバランスゲインを前記ホワイトバランス増幅手段に適用する手順とを有することを特徴とする画像処理方法。
【請求項１５】
撮像素子から出力される画像信号に含まれる色信号を、ホワイトバランス増幅手段によりホワイトバランスゲインに応じて増幅する画像処理方法であって、
被写体照度を検出する手順と、
前記ホワイトバランス増幅手段により増幅した後の色信号情報から、前記ホワイトバランス増幅手段により増幅する前の色信号情報を算出する手順と、
前記検出された被写体照度と、前記算出された増幅前の色信号情報とに基づいて光源を推定する手順と、
前記ホワイトバランス増幅手段により増幅した後の色信号情報と、前記推定された光源とに基づいてホワイトバランスゲインを算出し、前記ホワイトバランスゲインを前記ホワイトバランス増幅手段に適用する手順とを有することを特徴とする画像処理方法。
【請求項１６】
撮像素子から出力される画像信号に含まれる色信号を、ホワイトバランス増幅手段によりホワイトバランスゲインに応じて増幅する画像処理方法であって、
前記ホワイトバランス増幅手段により増幅する前の第１の色信号情報を取得する手順と、
前記第１の色信号情報を基づいて光源情報を推定する手順と、
前記ホワイトバランス増幅手段により増幅した後の第２の色信号情報を取得する手順と、
前記第２の色信号情報に基づいて光源情報を推定する手順と、
前記第１の色信号情報に基づいて推定した光源情報と、前記第２の色信号情報に基づいて推定した光源情報との少なくともいずれか一つに基づいてホワイトバランスゲインを算出し、前記ホワイトバランスゲインを前記ホワイトバランス増幅手段に適用する手順とを有することを特徴とする画像処理方法。
【請求項１７】
撮像素子から出力される画像信号に含まれる色信号を、ホワイトバランス増幅手段によりホワイトバランスゲインに応じて増幅する画像処理方法であって、
前記ホワイトバランス増幅手段により増幅する前の第１の色信号情報を取得する手順と、
前記第１の色信号情報に基づいて第１のホワイトバランスゲインを算出する手順と、
前記ホワイトバランス増幅手段により増幅した後の第２の色信号情報を取得する手順と、
前記第２の色信号情報に基づいて第２のホワイトバランスゲインを算出する手順と、
前記第１のホワイトバランスゲインと前記第２のホワイトバランスゲインとに基づいて第３のホワイトバランスゲインを決定し、前記ホワイトバランスゲインを前記ホワイトバランス増幅手段に適用する手順とを有することを特徴とする画像処理方法。
【手続補正２】
【補正対象書類名】明細書
【補正対象項目名】発明の名称
【補正方法】変更
【補正の内容】
【発明の名称】画像処理装置及び方法
【手続補正３】
【補正対象書類名】明細書
【補正対象項目名】０００１
【補正方法】変更
【補正の内容】
【０００１】
本発明は、光源を推定し、その推定した光源に応じて適切なホワイトバランス制御を行う画像処理装置及び方法に関する。
【手続補正４】
【補正対象書類名】明細書
【補正対象項目名】００１２
【補正方法】変更
【補正の内容】
【００１２】
本発明による画像処理装置は、撮像素子から出力される画像信号に含まれる色信号を、ホワイトバランスゲインに応じて増幅するホワイトバランス増幅手段と、前記ホワイトバランス増幅手段により増幅する前の第１の色信号情報を取得する第１の色信号情報取得手段と、前記ホワイトバランス増幅手段により増幅した後の第２の色信号情報と、前記第１の色信号情報により決定されるパラメータとに基づいてホワイトバランスゲインを算出し、前記ホワイトバランスゲインを前記ホワイトバランス増幅手段に適用するホワイトバランスゲイン制御手段とを備える点に特徴を有する。
本発明による他の画像処理装置は、撮像素子から出力される画像信号に含まれる色信号を、ホワイトバランスゲインに応じて増幅するホワイトバランス増幅手段と、被写体照度を検出する被写体照度検出手段と、前記ホワイトバランス増幅手段により増幅する前の第１の色信号情報を取得する第１の色信号情報取得手段と、前記被写体照度検出手段により検出された被写体照度と、前記第１の色信号情報とに基づいて光源を推定する光源推定手段と、前記ホワイトバランス増幅手段により増幅した後の第２の色信号情報と、前記光源推定手段により推定された光源とに基づいてホワイトバランスゲインを算出し、前記ホワイトバランスゲインを前記ホワイトバランス増幅手段に適用するホワイトバランスゲイン制御手段とを備える点に特徴を有する。
本発明による他の画像処理装置は、撮像素子から出力される画像信号に含まれる色信号を、ホワイトバランスゲインに応じて増幅するホワイトバランス増幅手段と、被写体照度を検出する被写体照度検出手段と、前記ホワイトバランス増幅手段により増幅した後の色信号情報から、前記ホワイトバランス増幅手段により増幅する前の色信号情報を算出する色信号情報算出手段と、前記被写体照度検出手段により検出された被写体照度と、前記色信号情報算出手段により算出された色信号情報とに基づいて光源を推定する光源推定手段と、前記ホワイトバランス増幅手段により増幅した後の色信号情報と、前記光源推定手段により推定された光源とに基づいてホワイトバランスゲインを算出し、前記ホワイトバランスゲインを前記ホワイトバランス増幅手段に適用するホワイトバランスゲイン制御手段とを備える点に特徴を有する。
本発明による他の画像処理装置は、撮像素子から出力される画像信号に含まれる色信号を、ホワイトバランスゲインに応じて増幅するホワイトバランス増幅手段と、前記ホワイトバランス増幅手段により増幅する前の第１の色信号情報を取得する第１の色信号情報取得手段と、前記第１の色信号情報を基づいて光源情報を推定する第１の光源推定手段と、前記ホワイトバランス増幅手段により増幅した後の第２の色信号情報を取得する第２の色信号情報取得手段と、前記第２の色信号情報に基づいて光源情報を推定する第２の光源推定手段と、前記第１の光源推定手段により推定した光源情報と、前記第２の光源推定手段により推定した光源情報との少なくともいずれか一つに基づいてホワイトバランスゲインを算出し、前記ホワイトバランスゲインを前記ホワイトバランス増幅手段に適用するホワイトバランスゲイン制御手段とを備える点に特徴を有する。
本発明による他の画像処理装置は、撮像素子から出力される画像信号に含まれる色信号を、ホワイトバランスゲインに応じて増幅するホワイトバランス増幅手段と、前記ホワイトバランス増幅手段により増幅する前の第１の色信号情報を取得する第１の色信号取得手段と、前記第１の色信号情報に基づいて第１のホワイトバランスゲインを算出する第１のホワイトバランスゲイン算出手段と、前記ホワイトバランス増幅手段により増幅した後の第２の色信号情報を取得する第２の色信号取得手段と、前記第２の色信号情報に基づいて第２のホワイトバランスゲインを算出する第２のホワイトバランスゲイン算出手段と、前記第１のホワイトバランスゲインと前記第２のホワイトバランスゲインとに基づいて第３のホワイトバランスゲインを決定し、前記ホワイトバランスゲインを前記ホワイトバランス増幅手段に適用するホワイトバランスゲイン制御手段とを備える点に特徴を有する。